(57)【要約】【課題】従来の浅いネット皿状の網杓子は油を切る際、掬った物が落ちる為網を傾ける事が出来ず油切れが悪かった。従来の半ザル状の網杓子は網に曲線部がある為その部分に油が溜り油切れが悪かった。【解決手段】第１立壁網部の側縁と隣接する第２立壁網部を設ける事により、油を切る際に網を傾ける事を可能し、その間に形成された開口部や隙間を有する事により、油がより流れやすい構造となる。略直線状に延びる第一周縁部と第二周縁部を設ける事により油が網に張り付き溜まる事を防ぎ、より油切れが良くなる。【選択図】      図１
2014233589.tif 000002
【特許請求の範囲】
【請求項１】
柄部と、略平坦な網体部を備えた網杓子であって、
前記網体部は、略直線状に延びる第1の周縁部と、前記第1の周縁部に隣接すると共に略直線状に延びる第２の周縁部とを有し、
前記第１の周縁部に第１の立網部が立設され、前記第２の周縁部に第２の立網部が立設され、
前記第１の立網部の側縁と隣接する第２の立網部の側縁との間には隙間が設けられ、
前記柄部の下端部は、前記第１の立網部と第２の立網部の少なくともいずれか一方に接続されていることを特徴とする網杓子。
【請求項２】
柄部と、略平坦な網体部を備えた網杓子であって、
前記網体部は、略直線状に延びる第1の周縁部と、前記第1の周縁部に隣接すると共に略直線状に延びる第２の周縁部とを有し、
前記第１の周縁部に第１の立網部が立設され、前記第２の周縁部に第２の立網部が立設され、
前記第１の立網部の側縁と第２の立網部の側縁とが接続する接続部の下端部には前記立網部の網目より大きい開口部が形成され、
前記柄部の下端部は、前記第１の立網部と第２の立網部の少なくともいずれか一方に接続されていることを特徴とする網杓子。
【請求項３】
前記立網部が前記網体部の周辺部を折り曲げて形成されていることを特徴とする請求項１乃至請求項２に記載の網杓子。
【発明の詳細な説明】
【技術分野】
【０００１】
本発明は、調理用具の網杓子に関するものである
【背景技術】
【０００２】
従来の網杓子は、図１１に示す円形の浅いネット皿に柄の付いた形状で構成されている物や、図１２に示すネットがザルのように少し深くなった物に柄の付いた形状で構成されている。特許文献１には上端縁が外方に膨張形状をなした三角形状の浅いネット皿の一角に、柄を設けて構成した網杓子が記載されており、特許文献２には鍋形状をした網杓子が記載されている。特許文献３には杓子の取っ手側に穴を有した器具が記載されており、特許文献４には杓子の受け皿周縁に貫穴付きの板を有した器具が記載されている。特許文献５には杓子に水を切る為の多数の穴や網を有した器具が記載されている。
【先行技術文献】
【特許文献】
【０００３】
【特許文献１】実登３０４７１３５号
【特許文献２】特開平１０−０５７２５６号
【特許文献３】特開平１１−０７００４９号
【特許文献４】特開平１０−０３３３９４号
【特許文献５】特開２００８−３０２１８８号
【発明の概要】
【発明が解決しようとする課題】
【０００４】
従来の円形の浅いネット皿に柄の付いた形状の網杓子は、油や水を切る際水平にして使用する物が一般的であり、より油や水を切ろうと斜めにすると、掬った具が落ちてしまい油や水が十分に切れないという欠点があった。又、斜めにしても掬った物が落ち難い様に考慮した半ザルの様な形状になっている網杓子は、曲線部分に油や水が溜まってしまい油や水を十分に切れないという欠点があった。又、掬い口も狭い為、効率よく底に沈んだ物を掬えないと言う欠点があった。どちらのタイプも油や水を切る際、網の部分に油が張り付いた様な状態になり、効率的に油や水を切る事が出来ないという欠点があった。揚げ物をする際の油切りは、時間を掛ければより油を切る事が出来るだろうが、時間を掛けて油を切っていたのでは、揚げているものが焦げてしまうという問題や調理時間が多く掛かるという問題点がでてくる。又、油がしっかり切れていないと言う事は、掬ったものが油でベチャベチャになり、そうすると掬った油でベチャベチャの物を乗せたキッチンペーパーは油を吸い汚れが酷くなり、多くの枚数を必要とする事になり、キッチンペーパーの無駄遣という問題点がある。キッチンペーパーに含まれた油はもう使用出来ない事から考えると、油を無駄に捨てている事になり経済的にみても良くないと言う問題点が挙げられる。
【０００５】
特許文献１の杓子は水平にして使用するので平面部に油や水が溜まり、十分に油や水が切れないという欠点がある。特許文献２の杓子には直径８ミリの穴が開いている為、揚げ物のカスを掬うという点においては穴が大きすぎるという欠点がある。又、柄杓の様な形状を成している為、底に沈んだ物を掬う事が出来ないという欠点がある。特許文献３の杓子は取っ手側に穴が在るが、手元に水を流しやすいという利点はあるものの、網杓子にその機能をただ付けただけでは水切れを良くするという構造にはならず、効率的に水を切る事が出来ないという欠点がある。特許文献４の杓子は、従来の網杓子と同様、平面部に油が溜まり十分に油や水が切れないという欠点がある。特許文献５の杓子は水を切る機能は有しているが、効果的に水切れを良くするという構造にはなっておらず、効率的に水を切る事が出来ないという欠点がある。本発明は、以上のような従来の欠点に鑑み、油が網に張り付き難い構造を成した、油がより早く良く切れる網杓子を提供する事を目的としている。
【課題を解決するための手段】
【０００６】
第1の発明の網杓子は、柄部と、略平坦な網体部を備えた網杓子であって、前記網体部は、略直線状に延びる第1の周縁部と、前記第1の周縁部に隣接すると共に略直線状に延びる第２の周縁部とを有し、前記第１の周縁部に第１の立網部が立設され、前記第２の周縁部に第２の立網部が立設され、前記第１の立網部の側縁と隣接する第２の立網部の側縁との間には隙間が設けられ、前記柄部の下端部は、前記第１の立網部と第２の立網部の少なくともいずれか一方に接続されている事を特徴とする。
【０００７】
第２の発明の網杓子は、柄部と、略平坦な網体部を備えた網杓子であって、前記網体部は、略直線状に延びる第1の周縁部と、前記第1の周縁部に隣接すると共に略直線状に延びる第２の周縁部とを有し、前記第１の周縁部に第１の立網部が立設され、前記第２の周縁部に第２の立網部が立設され、前記第１の立網部の側縁と第２の立網部の側縁とが接続する接続部の下端部には前記立網部の網目より大きい開口部が形成され、前記柄部の下端部は、前記第１の立網部と第２の立網部の少なくともいずれか一方に接続されている事を特徴とする。また、網杓子は、前記立網部が前記網体部の周辺部を折り曲げて形成されている事が望ましい。
【発明の効果】
【０００８】
上記態様によれば、油をより切れやすくし、又、網を斜めにしても掬った具が落ちない効果がある。立網部を隣り合う様に設ける事により、掬った具を落す事なく油を切る為に網杓子の網部を傾ける事が可能になり、立網部を設ける際に生じる曲げ部分を曲線にせず折り目を付け、角を持たせる事により略直線状に延びる周縁部が形成され、網部に油が溜まり難い構造となり油の切れを良くするという効果がある。又、立網部同士の間に開口部または隙間が設けてある事により、油がより流れ易くなるという効果がある。
【０００９】
略平坦な網体部を備えている為、鍋底に沈んだ物も容易に掬う事が出来、円形の浅いネット状の物とは異なり立網部がある為、油の中で網杓子を動かしても掬った物が網体部より流れ落ち難いという効果がある。
【図面の簡単な説明】
【００１０】
【図１】本発明の実施例１の網杓子の斜視図である。
【図２】本発明の実施例１の網体部の展開図である。
【図３】本発明の実施例１の別の網体部の展開図である。
【図４】本発明の実施例２の網杓子の斜視図である。
【図５】本発明の実施例２の網体部の展開図である。
【図６】柄部の取付け方を示した図面である。
【図７】異なる形状の柄部取付け部分を示す斜視図である。
【図８】本発明の網杓子で鍋底に沈む物を掬う様子を示した図面である。
【図９】本発明の網杓子で油を切る様子を示した図面である。
【図１０】形状の異なる網体部を有する網杓子の斜視図である。
【図１１】従来の円形の浅いネット皿を有する網杓子を示す写真である。
【図１２】従来の半ザル状の網部を有する網杓子を示す写真である。
【図１３】図１０の網杓子使用時の油で揚げたパン粉の総重量を示す写真である。
【図１４】図１１の網杓子使用時の油で揚げたパン粉の総重量を示す写真である。
【図１５】本発明の網杓子使用時の油で揚げたパン粉の総重量を示す写真である。
【図１６】図１０の網杓子使用時の水に浸したパン粉の総重量を示す写真である。
【図１７】図１１の網杓子使用時の水に浸したパン粉の総重量を示す写真である。
【図１８】本発明の網杓子使用時の水に浸したパン粉の総重量を示す写真である。
【発明を実施するための形態】
【００１１】
以下、図面を参照しつつ、本発明の網杓子の実施形態を説明する。ただし、本発明の技術的範囲は以下の実施形態に示した具体的な用途や形状・寸法などには限定されない。
【実施例１】
【００１２】
図１は本発明の実施例１の網杓子の斜視図である。柄部１０と略平坦な網体部６を備えた網杓子であり、立網部１、立網部２がある。立網部１の側縁と隣接する立網部２の側縁との間に設けられた開口部５がある。網部形状７は曲線状にする事により、網体部の面積を少しでも広くし、鍋底に沈んだ物や鍋の表面に浮いたものを少しでも取り易くする。立網部１、立網部２を折り曲げて形成し角を持たせる事により略直線状に延びる周縁部３と略直線状に伸びる周縁部４が形成される。網部に曲線があるとどうしても油が網に張り付いた状態が続き、思うように油を切る事が出来なくなってしまうという理由から、立網部１、立網部２を設ける際に生じる曲げ部分を曲線にせず、折り曲げ等により角を作って形成する事が、網部に油が溜まり難い構造となり油の切れが良くなり、より早く効率的に油を切る事が可能になる。立網部１、立網部２がある事により、網杓子を傾けても掬った具を落す事なく油を切る事を可能とし、開口部５より網杓子を傾けた際油が出てくる仕組となる。周縁部３と周縁部４の間の角度は、掬い易さと油切れの関係から適切な角度が決められる。すなわち、掬い易さに関しては、周縁部３と周縁部４の間の角度が小さいと網体部の面積が狭くなり掬い難くなる。逆に、周縁部３と周縁部４の間の角度が大きいと網体部の面積が広くなり掬い易くなる。油切れに関しては、周縁部３と周縁部４の間の角度が大きくなりすぎると油切れが悪くなる傾向がある。したがって、およそ８０度から１００度の角度が適切である。
【００１３】
図２は図１の開口部５を形成する網体部の展開図である。ここでは開口部の形状は三角形である。折り曲げ線１２と折り曲げ線１３のラインで折り曲げる事により、本発明品の特徴でもある略直線に延びる周縁部３と略直線状に延びる周縁部４、そして立網部１の側縁と立網部２の側縁とが接続する接続部の下端部には前記立網部の網目より大きい開口部５が形成される。
【００１４】
図３は立網部１、立網部２、網体部６のパーツをばらばらにした図である。図２では折り曲げにより立網部を形成するようにしているが、別の立網部形成方法として、接続加工線１４と接続加工線１５そして接続加工線１６と接続加工線１７をそれぞれカシメ又は溶接等を用いる事により接続加工し網体部を形成する事も可能である。  
【実施例２】
【００１５】
図４は本発明の実施例２の網杓子の斜視図である。実施例２は立網部１の側縁と隣接する立網部２の側縁との間に設けられた隙間を有する網杓子であり、図１に示す実施例１の開口部５の形状と異なる隙間８を有しており、隙間８より網杓子を傾けた際に油が出てくる仕組になっている。実施例２は実施例１と同様の原理により、効率的に油を切ることができ、且つ網杓子を傾けても掬った具を落す事もない。図１の開口部５と図４の隙間８の形状は一例である事は言うまでもない。
【００１６】
図５は隙間８を有する網体部６の展開図である。ここでは隙間の形状を直線状としている。 折り曲げ線１２、折り曲げ線１３のラインで折り曲げる事により本発明の特徴である、略直線状に伸びる周縁部３と略直線状に伸びる周縁部４が形成され、そして形成された立網部１の側縁と隣接する立網部２の側縁との間には隙間８が形成される。
【００１７】
図６は柄部１０の取り付け方を示した図面である。網杓子柄部接続部９と立網部１、立網部２との接続部は、図１や図４の網杓子に示す立網部１、立網部２の上端部を挟んで接続する形状をとっている。周縁部３と周縁部４の間の角度８０度から１００度に合わせて８０度から１００度の角度に曲げて形成された網杓子柄部接続部９にて、立網部１と立網部２の上端を上から挟み込む形で柄部全体と網体部を接続する。図４にある網杓子の隙間８の形状では、特に立網部１と立網部２の両方を網杓子柄部接続部９にて挟みこむ形で柄部を取り付ける方が、立網部が固定される事により網杓子の強度が増す為望ましい。この形状は一例であり、この形状が全てではない。柄の取付け方法は溶接や挟み込み、カシメ等多様な方法がある。
【００１８】
図７に柄部１０の下端部を一方の立網部１に接続した本発明の網杓子の斜視図を示す。図７以外に、柄部１０の下端部を立網部２に接続することも可能であり、柄の取付け部は立網部１と立網部２の少なくともいずれかに接続されていれば良い。
【００１９】
図８は本発明の網杓子で油に沈む物を掬った時の図である。略平坦な網体部６を備える事により、鍋の底に沈んだ物も容易に掬うことが出来る。円形の浅いネット状の物とは異なり立網部１と立網部２がある為、油の中で網杓子を動かしても掬った物が流れ落ち難いという効果がある。
【００２０】
図９は本発明の網杓子で油を切る際の図である。立網部１の側縁と隣接する立網部２の側縁との間に設けられた開口部５から網杓子を傾けた際油が出てくる様子を示している。網杓子を傾けても立網部１と立網部２がある事により、掬った物が落ちる事なく油を切ることが出来る。実施例２の網杓子においても同様の効果が得られることは明らかである。
【００２１】
図１０は形状の異なる網体部６を有する本発明の網杓子の斜視図である。本発明の特長である立網部１、立網部２の形状を生かし網部形状７の形を、異型網部形状１８にする事によりハート型の網体部６を得る事が出来る。網部形状７の時より若干の掬い難さは否めないかもしれないが、網体部６がハートという可愛い形状を有するデザイン性のある網杓子を形成する事が可能となる。
【００２２】
本発明の網杓子と従来のカス揚用網杓子との油の切れ具合を比較したところ、以下の結果を得た。
【００２３】
実験１では、図１１に示す広く使用されている従来の円形の浅いネット皿の網杓子と本発明の網杓子を使用し、１０ｇのパン粉を全部で５回（５０ｇ）揚げて掬ったパン粉の総重量を比較した。その結果、図１３に示すように従来の網杓子によるパン粉の総重量は１４２ｇで、図１５に示すように本発明の網杓子によるパン粉の総重量は１００ｇであった。この結果を見ると、従来の網杓子によるパン粉の総重量の方が重いことから本発明の網杓子の方が油切れが良い事が分かる。
【００２４】
実験２では、図１２に示す従来の半ザルの様な形状の網杓子と本発明の網杓子を使用し、１０ｇのパン粉を全部で５回（５０ｇ）揚げて掬ったパン粉の総重量を比較した。結果を図１４に示すように従来の網杓子によるパン粉の総重量は１１２ｇで、図１５に示すように本発明の網杓子のパン粉の総重量は１００ｇであった。この結果を見ると、従来の網杓子によるパン粉の総重量の方が重いことから本発明の網杓子の方が油切れが良い事が分かる。従来の半ザルの様な形状の網杓子の油の切り方については、本発明の網杓子のように斜めにした状態での油切れを比較する為、様々な方向に傾け、より油が切れるようにしてみた。以上をもってしても、従来の網杓子よりも本発明の網杓子の方が油切れの良いことが分かった。補足だが、パン粉を掬い、油を切り、パン粉を皿に移した後の網にはまだ油が張り付いており、二つの網を皿に置いておくと本発明の網杓子よりも従来の半ザルの様な形状の網杓子の方に、より油が沢山溜まっていた事からしても本発明の網杓子の油切れが良い事が分かる。
【００２５】
実験３では、図１１に示す広く使用されている従来の円形の浅いネット皿の網杓子と本発明の網杓子を使用し、５０ｇのパン粉を水に浸し掬い上げた時のそれぞれのパン粉の総重量を比較した。図１６に示す従来の網杓子によるパン粉の総重量は２６８ｇで、図１８に示す本発明の網杓子のパン粉の総重量は２１０ｇであった。この結果を見ると、従来の網杓子によるパン粉の総重量の方が重いことから本発明の網杓子の方が水切れが良い事が分かる。
【００２６】
実験４では、図１２に示す従来の半ザルの様な形状の網杓子と本発明の網杓子を使用し、５０ｇのパン粉を水に浸し掬い上げたそれぞれのパン粉の総重量を比較した。図１７に示す従来の網杓子によるパン粉の総重量は２３０ｇ、図１８に示す本発明の網杓子によるパン粉の総重量は２１０ｇであった。この結果を見ると、従来の網杓子によるパン粉の方が重いことから本発明の網杓子の方が水切れが良い事が分かる。従来の半ザルの様な形状の網杓子の水の切り方については、本発明の網杓子のように斜めにした状態での水切れを比較する為、様々な方向に傾けより水が切れるようにしてみた。以上をもってしても従来の網杓子よりも本発明の網杓子の方が水切れの良いことが分かった。以上の実験結果が示すように、本発明の網杓子は従来の網杓子等と比較して格段に油切れや水切れが良いという効果が確認できた。
【産業上の利用可能性】
【００２７】
油を切るだけではなく、味噌汁の具のみ、鍋物の具のみといったように、汁物と具材を取り分ける際にも使用可能である。又、少量のゆで物をした際、ザルを使用するのが面倒な場合にも本発明の網杓子を使用し簡単に水を切る事が出来る。網杓子は一般的にカス揚げと呼ばれ天ぷらやフライ等の揚げ物をする際に出る天カスやパン粉のカスを取り除く為に使用されるが、本発明の網杓子は立網部があり掬った物が落ち難いという事から、ファーストフード店でフライドポテトを作る時に使用するフライドポテトバスケットの様な役割も果たす。フライドポテトバスケットを一般家庭で使用するのは大きな鍋が必要な点や、油を大量に使用しなければいけないという点、大きい為洗うのが面倒という点、片付ける場所が大変という点から使用する事が難しいと思われるが、本発明の網杓子は形状上フライパンで揚げ物をする際にも使用可能な為油は少なくて済み、シンプルな形状で小型な為洗う事も片付ける事も楽であり、油切れも良い事から家庭用フライドポテトネットとしても使用可能である。
【符号の説明】
【００２８】
１  立網部
２  立網部
３  略直線状に延びる周縁部
４  略直線状に延びる周縁部
５  開口部
６  網体部
７  網部形状
８  隙間
９  網杓子柄部接続部
１０  柄部
１１  形状違い網杓子柄部接続部
１２  折り曲げ線
１３  折り曲げ線
１４  接続加工線
１５  接続加工線
１６  接続加工線
１７  接続加工線
１８  異型網部形状
【図１】
2014233589.tif 000003
【図２】
2014233589.tif 000004
【図３】
2014233589.tif 000005
【図４】
2014233589.tif 000006
【図５】
2014233589.tif 000007
【図６】
2014233589.tif 000008
【図７】
2014233589.tif 000009
【図８】
2014233589.tif 000010
【図９】
2014233589.tif 000011
【図１０】
2014233589.tif 000012
【図１１】
2014233589.tif 000013
【図１２】
2014233589.tif 000014
【図１３】
2014233589.tif 000015
【図１４】
2014233589.tif 000016
【図１５】
2014233589.tif 000017
【図１６】
2014233589.tif 000018
【図１７】
2014233589.tif 000019
【図１８】
2014233589.tif 000020